(57)【要約】【課題】本発明の目的は、各層に複数戸の住戸が連続的に配置され、個々の戸境壁に耐火上・遮音上の要求性能を満足させる界壁を有するとともに、間取り計画の自由度が高く、施工性の良好な低層建築物を提供することにある。【解決手段】鉄骨骨組みにより形成された低層建築物Ｓに関する。  ２本の鉄鋼製の柱１，１と、２本の前記柱の上端部を架橋するように渡される梁２，２と、を各々剛接合することにより形成された架橋部材Ｋ１を複数備え、この複数の架橋部材Ｋ１は、桁行方向Ｙの向きに平行に配置されるとともに、張間方向Ｘに沿って所定間隔をもって連結されて住戸構成単位Ｋ２を構成しており、低層建築物Ｓは、この住戸構成単位Ｋ２を、高さ方向及び水平方向の少なくとも一方に連続させることにより形成される。【選択図】図１
2011052507.tif 000002
【特許請求の範囲】
【請求項１】
鉄骨骨組みにより形成された低層建築物であって、
２本の鉄鋼製の柱と、２本の前記柱の上端部を架橋するように渡される梁と、を各々剛接合することにより形成された架橋部材を複数備え、
複数の前記架橋部材は、桁行方向の向きに平行に配置されるとともに、張間方向に沿って所定間隔をもって連結されて住戸構成単位を構成しており、
該住戸構成単位を、高さ方向及び水平方向の少なくとも一方に連続させることにより形成されることを特徴とする低層建築物。
【請求項２】
前記架橋部材は、前記柱と、
該柱の上端部に、前記柱と略垂直に連結された前記梁と、
で構成された部材単位が、２個連結されることにより構成されており、
前記架橋部材は、２個の前記梁の自由端部分が一直線上に連結されてコ字形状に形成されていることを特徴とする請求項１に記載の低層建築物。
【請求項３】
前記梁の自由端部分は、略角柱形状の接合金物を介して連結されており、
前記梁の自由端部分は、前記接合金物の相対向する側面に連結されることを特徴とする請求項２に記載の低層建築物。
【請求項４】
水平方向に連結される２個の前記住戸構成単位は、
２個の隣接する前記柱が、矩形平板状の被覆部を有して構成された２個の柱連結部材を介して連結されており、
前記柱連結部材は、２個の隣接する前記柱間の間隙を表裏側より、２個の前記柱連結部材の前記被覆部により各々閉塞するように配設されることを特徴とする請求項１に記載の低層建築物。
【請求項５】
前記柱連結部材を構成する前記被覆部には、２個の前記住戸構成単位間に配設される、耐力壁若しくは非耐力壁からなる界壁が取付けられることを特徴とする請求項４に記載の低層建築物。
【請求項６】
外周部に配置され、隣接する前記柱及び該柱間を架橋する前記梁とで囲まれた矩形空間には、前記耐力壁若しくは前記非耐力壁が配設されることを特徴とする請求項１に記載の低層建築物。
【発明の詳細な説明】
【技術分野】
【０００１】
本発明は、集合住宅、寄宿舎、老人福祉施設等のように、各層に複数戸の住宅、室等（以下、「住戸」と記す）が連続的に配置された、階数の比較的少ない低層建築物に関する。
【背景技術】
【０００２】
鉄骨系低層建築物においては、構造型式分類上、数種類に分類される。
このうち、一般的に住宅メーカーにおいて採用されている構造型式として、「軸組・パネル併用型式」や「ラーメン（rahmen）構造型式」がある。
このような、構造型式が採用された建物が種々開示されている（例えば、特許文献１参照）。
【０００３】
特許文献１には、ラーメン構造の建物骨組み構造体が開示されている。
特許文献１のラーメン構造の建物骨組み構造体は、２本の柱と梁を剛結合した多層階のラーメン構造の建物骨組み構造体である。
各階の平面形状が同一平面状となった部分において、下階の柱と梁の数が上階の柱と梁の数よりも多くなるように構成されている。
【先行技術文献】
【特許文献】
【０００４】
【特許文献１】特開２００３−０１３４９４号公報
【発明の概要】
【発明が解決しようとする課題】
【０００５】
このように、特許文献１に開示されたようなラーメン構造型式においては、各住戸内に構造躯体である柱型が生じ、仕様上、部屋のレイアウト等に支障をきたすという問題点があった。
【０００６】
つまり、ラーメン構造型式においては、「不静定構造」として設計されるとともに、鋼材間の接合部には高力ボルトを用いた摩擦接合方法により構造設計されることが一般的であり、このため、床材及び梁材等は比較的大きなスパンにより計画が可能となるが、それに伴い柱断面積を大きくする必要が生じるという問題があった。
【０００７】
また、このように接合部に高力ボルトを用いた摩擦接合を行うため、施工管理上の手間がかかるという問題もあった。
つまり、現場による高力ボルト接合の場合には、施工管理上、トルク管理を行う必要があり、普通ボルト接合に比して、施工管理に手間がかかるという問題が生じる。
【０００８】
また、軸組・パネル併用型式の場合には、各住戸内に構造躯体である耐力壁又は柱が配置されており、建物の更新対策の観点において、間取り変更の障害となるという問題点があった。
【０００９】
つまり、このような構造型式においては、「静定構造」として設計されるとともに、鋼材間の接合部には普通ボルトを用いた支圧接合法により構造設計されることが一般的であり、このため、床・梁材当を設計する際の部材応力が大きくなり、短いスパンで柱を支持される必要が生じる。
【００１０】
よって、住宅内部には、柱配置が必要となってしまうという問題が生じる。
更に、各住戸内の外周部には、一定の耐力壁量を配置する必要があり、窓等の開口部計画において制約が生じるという問題点があった。
つまり、建物に水平荷重が作用する際、その大きさに対応した必要量の耐力壁を配置するだけでなく、建物全体がねじりを受けないように耐力壁を配置する必要がある。
【００１１】
一般的には、建物のねじり抵抗の確保を目的として、外周壁面線（以下、「外壁線」と記す）の耐力壁量配置量の規定が設定されている。このため、窓・玄関等の開口部の配置計画に制限が生じるという問題点があった。
【００１２】
本発明の目的は、上記各問題点を解決することにあり、各層に複数戸の住戸が連続的に配置され、個々の戸境壁に耐火上・遮音上の要求性能を満足させる界壁を有するとともに、間取り計画の自由度が高く、施工性の良好な低層建築物を提供することにある。
【課題を解決するための手段】
【００１３】
上記課題は、請求項１に係る発明によれば、鉄骨骨組みにより形成された低層建築物であって、２本の鉄鋼製の柱と、２本の前記柱の上端部を架橋するように渡される梁と、を各々剛接合することにより形成された架橋部材を複数備え、複数の前記架橋部材は、桁行方向の向きに平行に配置されるとともに、張間方向に沿って所定間隔をもって連結されて住戸構成単位を構成しており、該住戸構成単位を、高さ方向及び水平方向の少なくとも一方に連続させることにより形成されることにより解決される。
【００１４】
このように、本発明に係る低層建築物によれば、２本の鉄鋼製の柱と、２本の柱の上端部を架橋するように渡される梁と、を各々剛接合することにより形成された架橋部材を形成し、この架橋部材を複数個、桁行方向の向きに平行に配置させるとともに、張間方向に沿って所定間隔をもって連結することにより、住戸構成単位を構成しており、この住戸構成単位を、高さ方向及び水平方向の少なくとも一方に連続させることにより、一個の低層建築物となる。
【００１５】
このように、架橋部材を連結することにより骨組みを形成しているため、住宅空間を確保するとともに、桁行方向の水平荷重に抵抗することができる。
このため、必要な耐力壁量が少なくてすみ、外壁線においては、窓・玄関出入口等の開口部配置計画における制約を少なくすることができる。
【００１６】
また、住宅内には戸境部及び外壁面には柱型が生じることがなく、部屋のレイアウトの制約がなくなる。
更に、架橋部材により住戸空間を構成することができるため、内部柱等の配置が不要となり、建物の更新性・可変性の観点において、間取り変更の障害が解消される。
また、基本的に構造計画上、静定構造として計画できるため、高力ボルトでの摩擦接合が不要であり、柱脚等においても比較的軽微な基礎を計画でき、施工管理の手間を軽減できる。
【００１７】
このとき、具体的には、前記架橋部材は、前記柱と、該柱の上端部に、前記柱と略垂直に連結された前記梁と、で構成された部材単位が、２個連結されることにより構成されており、前記架橋部材は、２個の前記梁の自由端部分が一直線上に連結されてコ字形状に形成（所謂「スリーヒンジラーメン構造」が形成）されていると好適である。
【００１８】
更に具体的には、このとき、前記梁の自由端部分は、略角柱形状の接合金物を介して連結されており、前記梁の自由端部分は、前記接合金物の相対向する側面に連結されるよう構成されていると好適である。
【００１９】
また、このとき、水平方向に連結される２個の前記住戸構成単位は、２個の隣接する前記柱が、矩形平板状の被覆部を有して構成された２個の柱連結部材を介して連結されており、前記柱連結部材は、２個の隣接する前記柱間の間隙を表裏側より、２個の前記柱連結部材の前記被覆部により各々閉塞するように配設されるよう構成されていると好適である。
【００２０】
一般的に、スリーヒンジラーメン構造においては、鉛直方向荷重が作用する場合には、柱頭にはモーメントが生じる。
しかし、このように構成されていると、隣接するスリーヒンジラーメン構造が形成された架橋部材同士を接合することにより、このモーメントが相殺されることとなり、比較的小さい柱断面を設定することが可能となる。
【００２１】
更に、このとき、前記柱連結部材を構成する前記被覆部には、２個の前記住戸構成単位間に配設される、耐力壁若しくは非耐力壁からなる界壁が取付けられるよう構成されていると好適である。
このように構成されていると、簡易に界壁を取付けることができる。
【００２２】
また、このとき、外周部に配置され、隣接する前記柱及び該柱間を架橋する前記梁とで囲まれた矩形空間には、前記耐力壁若しくは前記非耐力壁が配設されるよう構成されていると好適である。
このように構成されていると、簡易に外壁を取付けることができる。
【発明の効果】
【００２３】
本発明によれば、２本の鉄鋼製の柱と、２本の柱の上端部を架橋するように渡される２本の梁とでスリーヒンジラーメン構造が形成された架橋部材が形成されており、この架橋部材を複数個、桁行方向の向きに平行に配置させるとともに、張間方向に沿って所定間隔をもって連結することにより、住戸構成単位を構成する。
【００２４】
そして、本発明に係る低層建築物は、この住戸構成単位を、高さ方向及び水平方向の少なくとも一方に連続させることにより構築される。
このように、スリーヒンジラーメン構造が形成された架橋部材を連結することにより骨組みを形成しているため、住宅空間を確保するとともに、桁行方向の水平荷重に抵抗することができる。
【００２５】
よって、必要な耐力壁量を少なくすることができ、外壁線において、開口部配置計画における制約を少なくすることができる。
また、住宅内には戸境部及び外壁面には柱型が生じることがなく、部屋のレイアウトの制約がなくなるとともに、架橋部材により住戸空間を構成することができるため、内部柱等の配置が不要となり、建物の更新性・可変性の観点において、間取り変更の障害が解消される。
【００２６】
また、基本的に構造計画上、静定構造として計画できるため、高力ボルトでの摩擦接合が不要であり、柱脚等においても比較的軽微な基礎を計画でき、施工管理の手間を軽減できる。
【００２７】
更に、一般的に、スリーヒンジラーメン構造においては、鉛直方向荷重が作用する場合には、柱頭にはモーメントが生じることとなるが、本発明においては、隣接するスリーヒンジラーメン構造が形成された架橋部材同士を接合することにより、このモーメントが相殺されることとなり、比較的小さい柱断面を設定することが可能となる。
【００２８】
以上のように、本発明によれば、各層に複数戸の住戸が連続的に配置され、個々の戸境壁に耐火上・遮音上の要求性能を満足させる界壁を有するとともに、間取り計画の自由度が高く、施工性が良好な低層建築物を提供することができる。
【図面の簡単な説明】
【００２９】
【図１】本発明の一実施形態に係る低層建築物を示す斜視図である。
【図２】本発明の一実施形態に係る柱と梁の接合状態を示す斜視図である。
【図３】本発明の一実施形態に係るスリーヒンジラーメン架橋の状態を示す斜視図である。
【図４】本発明の一実施形態に係る接合金物の６面図である。
【図５】本発明の一実施形態に係る１住戸を構成する骨組みを示す斜視図である。
【図６】本発明の一実施形態に係る２階層以上を構成する場合の骨組みを示す斜視図である。
【図７】本発明の一実施形態に係る各層において住戸等を連続させる場合の骨組みを示す斜視図である。
【図８】本発明の一実施形態に係る柱と柱の接合方法を示す斜視図である。
【図９】本発明の一実施形態に係る図８の上部を示す拡大図である。
【図１０】本発明の一実施形態に係る屋根及び耐力壁の配置を示す斜視図である。
【図１１】本発明の一実施形態に係る非耐力壁を示す平面図である。
【図１２】本発明の一実施形態に係る耐力壁を示す平面図である。
【図１３】本発明の一実施形態に係る耐力壁の内隅部を示す説明図である。
【図１４】本発明の一実施形態に係る非耐力壁及び耐力壁の端部を示す説明図である。
【発明を実施するための形態】
【００３０】
以下、本発明の一実施形態を図面に基づいて説明する。
なお、以下に説明する構成は本発明を限定するものでなく、本発明の趣旨の範囲内で
種々改変することができるものである。
本実施形態は、各層に複数戸の住戸が連続的に配置され、個々の戸境壁に耐火上・遮音上の要求性能を満足させる界壁を有するとともに、間取り計画の自由度が高く、施工性の良好な低層建築物に関するものである。
【００３１】
図１乃至図１４は、本発明に係る一実施形態を示すものであり、図１は低層建築物を示す斜視図、図２は柱と梁の接合状態を示す斜視図、図３はスリーヒンジラーメン架橋の状態を示す斜視図、図４は接合金物の６面図、図５は１住戸を構成する骨組みを示す斜視図、図６は２階層以上を構成する場合の骨組みを示す斜視図、図７は各層において住戸等を連続させる場合の骨組みを示す斜視図、図８は柱と柱の接合方法を示す斜視図、図９は図８の上部を示す拡大図、図１０は屋根及び耐力壁の配置を示す斜視図、図１１は非耐力壁を示す平面図、図１２は耐力壁を示す平面図、図１３は耐力壁の内隅部を示す説明図、図１４は非耐力壁及び耐力壁の端部を示す説明図である。
【００３２】
まず、図１に本実施形態における低層建築物Ｓを示す。
本実施形態に係る低層建築物Ｓは、柱１、梁２、梁端部繋ぎ材３、梁中部繋ぎ材４、屋根トラス５、非耐力壁６、耐力壁７を、各々複数個備えて、これらを主要構成として形成されている。
なお、本実施形態は、説明のため、構造を単純化した一例であり、これらのレイアウト、使用部材等は、本発明の趣旨を逸脱しない範囲で、適宜変更することができる。
【００３３】
本実施形態に係る柱１及び梁２は、Ｈ型鋼として構成されており、これらの端部には、ボルト孔が適宜形成されたエンドプレートＰが溶接されている。
また、柱１及び梁２の端部側面、及び内壁には、適宜ボルト孔が形成されており、柱１と柱１、柱１と梁２等を連結する際には、これらのボルト孔を適宜整合させて、ボルト締めできるように構成されている。
【００３４】
また、本実施形態に係る梁端部繋ぎ材３及び梁中部繋ぎ材４は、Ｈ型鋼であり、柱１及び梁２と同様に、エンドプレートＰが溶接されるとともに、適宜ボルト孔が複数個形成されている。
更に、本実施形態に係る屋根トラス５は、公知のトラス型小屋組み骨格であり、非耐力壁６及び耐力壁７は、外壁パネルとして構成されている。
なお、非耐力壁６及び耐力壁７については、後述する。
【００３５】
本実施形態においては、柱１，１に梁２を垂直に渡したラーメン構造を有するラーメン構造単位を一単位として、このラーメン構造単位を複数個一定規則に従って配置することにより、低層建築物Ｓの骨格が構築されている。
そして、最上部に配置される面に屋根トラス５を、複数の梁２上に複数個配置するとともに、外周面に非耐力壁６及び耐力壁７を配置して低層建築物Ｓを組み上げる。
また、住戸間の境界部には、図示しない界壁が配置される。
【００３６】
次いで、図２乃至図１４により、低層建築物Ｓの構造について説明する。
図２に示すように、梁２の一端部は、柱１の上端部に、内角が９０°になるように（つまり、柱１と梁２とでＬ字形状となるように）接合される。
【００３７】
この接合は、溶接又は高力ボルトによる摩擦接合にて行う。
なお、この接合は、予め、生産工場において行い、柱１と梁２を接合した状態で、施工現場へと運び込んでもよい。
【００３８】
次いで、図３に示すように、接合されてＬ字形状となった柱１と梁２とを、２個連結してスリーヒンジラーメン架橋を形成する。
このスリーヒンジラーメン架橋は、梁２，２を、接合金物Ｒを介して連結することによって形成される。
【００３９】
つまり、柱１，１が平行に配置されるとともに、梁２，２の自由端が対向するように配置され、この梁２，２の自由端に溶接されたエンドプレートＰ，Ｐを接合金物Ｒの相対向する側面に当接させて、ボルト連結することにより、略コ字形状のスリーヒンジラーメン架橋が形成される。
このように、柱１と梁２とが連結された部材が２個、接合金物Ｒを介して連結され、略コ字形状のスリーヒンジラーメン架橋が形成された部材を「架橋部材Ｋ１」と記す。
【００４０】
図４に、接合金物Ｒの６面図を示す。
本実施形態に係る接合金物Ｒは、上面部Ｒ１、底面部Ｒ２、側面部Ｒ３，Ｒ４，Ｒ５，Ｒ６を備える中空の四角柱形状の金物である。
上面部Ｒ１及び底面部Ｒ２には、４個のボルト孔Ｒ１１，Ｒ１２が各々形成されている。
【００４１】
また、側面部Ｒ３，Ｒ４，Ｒ５，Ｒ６には、８個のボルト孔Ｒ１３，Ｒ１４，Ｒ１５，Ｒ１６が各々形成されている。
これらのボルト孔Ｒ１１，Ｒ１２，Ｒ１３，Ｒ１４，Ｒ１５，Ｒ１６を梁２や梁中部繋ぎ材４に形成されたボルト孔と整合させて、ボルト留めすることにより、この接合金物Ｒを介して梁２，２及び梁中部繋ぎ材４を連結することができる。
なお、本実施形態は、接合金物Ｒの一例を示したものであって、形状、ボルト孔の配置・個数等は、本発明の趣旨を逸脱しない範囲で、適宜変更することができるものである。
【００４２】
次いで、図５に示すように、張間方向Ｘに基準モジュールの所定倍数間隔以内に架橋部材Ｋ１を所定枚数配置する。
これは、柱１と梁２とが接合された角部同士（両端に２箇所）を梁端部繋ぎ材３を介して連結するとともに、梁２，２の連結部である接合金物Ｒ同士を梁中部繋ぎ材４を介して連結することにより、複数の架橋部材Ｋ１を張間方向Ｘに等間隔平行に配置する。
このとき、架橋部材Ｋ１を構成する梁２，２は、上階の床梁の役割を果たす。
【００４３】
なお、張間方向Ｘ端部では、梁２，２の端部は、接合金物Ｒの相対向する側面部Ｒ３，Ｒ５に各々連結された状態で配設されるとともに、梁中部繋ぎ材４の端部は接合金物Ｒの側面Ｒ６（側面部Ｒ３，Ｒ５と直交する側面）に連結された状態で配設されている。
つまり、接合金物Ｒを介して、梁２，２と梁中部繋ぎ材４は、Ｔ字形状に連結される。
【００４４】
また、張間方向Ｘ端部以外では、梁２，２の端部は、接合金物Ｒの相対向する側面部Ｒ３，Ｒ５に各々連結された状態で配設されるとともに、梁中部繋ぎ材４，４の端部は接合金物Ｒの側面部Ｒ４，Ｒ６（側面部Ｒ３，Ｒ５と直交する側面）に連結された状態で配設されている。
つまり、接合金物Ｒを介して、梁２，２と梁中部繋ぎ材４は、十字形状に連結される。
このように、梁端部繋ぎ材３及び梁中部繋ぎ材４により、架橋部材Ｋ１を複数個連結された単位を「住戸構成単位Ｋ２」と記す。
【００４５】
図６により、２階以上の階を構成する場合を説明する。
２階以上の階を構成する場合は、住戸構成単位Ｋ２を高さ方向に積み重ねる。
これは、下階を構成する架橋部材Ｋ１の柱１・梁２接合部上面に、上階を構成する架橋部材Ｋ１の柱１自由端を載置固定することにより、架橋部材Ｋ１，Ｋ１を積み重ねる。
【００４６】
このようにして、下階を構成する架橋部材Ｋ１に上階を構成する架橋部材Ｋ１を全て積み重ねることによって、同一の住戸構成単位Ｋ２，Ｋ２を高さ方向に積み重ねる。
このようにして、２階以上の階を構成するが、このとき、下階の架橋部材Ｋ１を構成する梁２，２は、上階の床梁として機能することとなる。
【００４７】
また、図７乃至図９により、各層（同一階層）において、住戸等を連続する場合を説明する。
このように、住戸等を連続する場合は、住戸構成単位Ｋ２を桁行方向Ｙに並列させる。
これは、各階を構成する架橋部材Ｋ１，Ｋ１の柱１，１を連結することにより、並列させる。
【００４８】
つまり、住戸構成単位Ｋ２を桁行方向Ｙに並列させた際、隣接する柱１，１を、柱連結部材Ｔを介して、普通ボルト若しくは高力ボルト接合することにより連結して、住戸構成単位Ｋ２，Ｋ２を結合する。
柱連結部材Ｔは、長方形平板状の被覆部Ｔ１と、この被覆部Ｔ１の中央部に長手方向に沿って垂直に起立する長方形平板状の差込部Ｔ２とを有して構成された断面Ｔ字形状のＣＴ鋼である。
【００４９】
図８及び図９に示すように、柱連結部材Ｔ，Ｔは、Ｈ型鋼である柱１，１間の間隙に配置される。
つまり、差込部Ｔ２，Ｔ２が内側を向くとともに、被覆部Ｔ１，Ｔ１が、柱１，１間の間隙を被覆するように配置される。
柱１，１は、このように配設された柱連結部材Ｔ，Ｔを介して、普通ボルト若しくは高力ボルト接合により固定される。
【００５０】
以上のように、隣接する柱１，１は、柱連結部材Ｔ，Ｔを介して連結される。
なお、接合された柱連結部材Ｔ，Ｔには、張間方向Ｘに配置される壁パネル（界壁）が普通ボルト等により連結される。
【００５１】
つまり、住戸構成単位Ｋ２，Ｋ２の境界部分において、張間方向Ｘに対向する柱連結部材Ｔ，Ｔと梁２とで構成された矩形部分に、耐力壁７として構成された壁パネル（界壁）が配設されることとなり、この耐力壁７として構成された壁パネル（界壁）は、柱連結部材Ｔ，Ｔに固定される。
【００５２】
なお、本実施形態においては、界壁として耐力壁７を配置したが、これに限られることはなく、一部非耐力壁６を使用してもよい。これは、設計に応じた構造計算により算出された配置及び枚数が適宜適用される。
また、この界壁には、耐火上及び遮音上の要求性能が充足されているとなお良い。
【００５３】
次いで、図１０により、屋根トラス５、非耐力壁６、耐力壁７を配置する様子を説明する。
なお、本実施形態においては、非耐力壁６及び耐力壁７を配置する例としての説明のために交互に配置してあるが、配置や各々の使用枚数はこれに限られるものではなく、要求される設計に応じてなされた構造計算に応じて、各々の配置及び使用枚数は適宜設定されるものである。
【００５４】
屋根トラス５は、最上階の住戸構成単位Ｋ２（本実施形態においては、２階部分）の上部に、張間方向Ｘに沿って配置される。
つまり、複数の柱１の上端面と、これら上端部間に渡された複数の梁端部繋ぎ材３の上面部、及び複数の接合金物Ｒの上面部Ｒ１と、これら上面部Ｒ１間に渡された複数の梁中部繋ぎ材４の上面部に載置固定される。
また、非耐力壁６、耐力壁７は、隣接する柱１，１と、これらの端部を架橋する梁端部繋ぎ材３とで形成される矩形空間を閉塞するように配置されて固定される。
【００５５】
次いで、図１１乃至図１４により、非耐力壁６及び耐力壁７の構成を説明する。
なお、本実施形態においては、非耐力壁６及び耐力壁７の一例を説明したものであって、説明のために簡略化している。
これら非耐力壁６及び耐力壁７は、これに限られるものではなく、本発明の趣旨を逸脱しない範囲で適宜変更することができる。
【００５６】
図１１に、本実施形態に係る非耐力壁６を示す。
本実施形態に係る非耐力壁６は、４本の溝型鋼で形成された(開口部が内側に向くように組まれる)長方形状の非耐力壁フレーム６１と、その短辺と平行となるように、長辺中央部を架橋するように配設された補強部６２とを有して構成されている。
【００５７】
また、図１２及び図１３に、本実施形態に係る耐力壁７を示す。
本実施形態に係る耐力壁７は、４本の溝型鋼で形成された（開口部が内側を向くように組まれる）長方形状の耐力壁フレーム７１と、その対角線上に配設される筋交７２，７２とを有して構成されている。
なお、非耐力壁６と同様に、耐力壁フレーム７１の短辺と平行となるように、長辺中央部を架橋するように配設された補強部を更に有して構成されていてもよい。
【００５８】
図１３に筋交７２の固定方法を示す。
筋交７２は、筋交固定部材１７２を介して耐力壁フレーム７１に取付けられる。
本実施形態に係る筋交固定部材１７２は、長方形状のプレートであり、耐力壁フレーム７１の４隅に各々１枚ずつ取付けられる。
【００５９】
このとき、筋交固定部材１７２は、その角部形状が耐力壁フレーム７１の角部形状と整合するように、角部の内隅に挿入されて固定される。
そして、筋交７２は、対角線上に対向する筋交固定部材１７２，１７２間を架橋するように渡されて固定される。
このように、本実施形態においては、筋交１７２，１７２が配設された耐力壁７が形成される。
【００６０】
図１４に、非耐力壁６及び耐力壁７の端部の構成を説明する。
非耐力壁６及び耐力壁７の端部構造は、同様であるため、非耐力壁６の下方端部の構成を例示して説明する。
非耐力壁６の非耐力壁フレーム６１を構成する下端側の短辺（以下、「下端辺１６１」と記す）、の両端部には、下端辺ボルト孔１６１ａ、１６１ａが形成されている。
梁端部繋ぎ材３には、この下端辺ボルト孔１６１ａと整合するボルト孔が形成されており、これらを整合させてボルトＢを留め付けることにより、非耐力壁６を固定することができるように構成されている。
【００６１】
以上のように、本実施形態に係る低層建築物Ｓによれば、コ字形状のスリーヒンジラーメン架橋が形成された架橋部材Ｋ１を複数個連結することにより、住戸構成単位Ｋ２を構成し、この住戸構成単位Ｋ２を、高さ方向若しくは桁行方向Ｙに複数個連続させて一個の低層建築物Ｓを構成する。
【００６２】
そして、これらの骨組みにより形成された矩形状空間に、非耐力壁６若しくは耐力壁７を配設して、外壁及び界壁とすることができる。
よって、各層に複数戸の住戸が連続的に配置され、個々の戸境壁に耐火上・遮音上の要求性能を満足させる界壁を有するとともに、間取り計画の自由度が高く、施工性の良好な低層建築物Ｓを提供することができる。
【００６３】
また、桁行方向Ｙにラーメン構造的な特徴を有するスリーヒンジラーメン架橋の構造を採る架橋部材Ｋ１を配置することにより、水平荷重の抵抗することが可能となり、耐力壁７を余分に配置する必要がなくなる。
このため、外壁線には、窓・玄関出入口等の開口部配置計画における制約がなくなる。
【００６４】
また、住宅内には、戸境部及び外壁面に柱型が生じることがかく、部屋のレイアウトの制約がなくなる。
更に、スリーヒンジラーメン架橋の構造を採る架橋部材Ｋ１により住宅空間を構成することで、比較的大きなスパンを確保することができ、内部柱等の配置が不要となる。
このように、本実施形態によれば、低層建築物Ｓの更新性・可変性の観点において、間取り変更の障害が解消される。
【００６５】
また、張間方向Ｘは、住戸の戸境間に耐力壁を配置し、水平荷重に抵抗している。
更に、構造計画上、基本的に静定構造として計画可能であるため、普通ボルトの使用が可能であり、脚柱等においても比較的に軽微な基礎を計画できる。
よって、施工管理の手間も低減することができる。
【００６６】
更に、一般的に、スリーヒンジラーメン架橋においては、鉛直方向荷重が作用する場合に、柱頭には、モーメントが生じるが、本実施形態においては、隣接する架橋部材Ｋ１に柱部同士を接合することにより、同応力が相殺されることとなり、比較的小さな柱断面を設定することが可能となる。
【符号の説明】
【００６７】
１  柱
２  梁
３  梁端部繋ぎ材
４  梁中部繋ぎ材
５  屋根トラス
６  非耐力壁
７  耐力壁
６１  非耐力フレーム
６２  補強部
７１  耐力フレーム
７２  筋交
１６１  下端辺
１６１ａ  下端辺ボルト孔
１７２  筋交固定部材
Ｂ  ボルト
Ｋ１  架橋部材
Ｋ２  住戸構成単位
Ｐ  エンドプレート
Ｒ  接合金物
Ｒ１  上面部
Ｒ２  底面部
Ｒ３，Ｒ４，Ｒ５，Ｒ６  側面部
Ｒ１１，Ｒ１２，Ｒ１３，Ｒ１４，Ｒ１５，Ｒ１６  ボルト孔
Ｓ  低層建築物
Ｔ  柱連結部材
Ｔ１  被覆部
Ｔ２  差込部
【図１】
2011052507.tif 000003
【図２】
2011052507.tif 000004
【図３】
2011052507.tif 000005
【図４】
2011052507.tif 000006
【図５】
2011052507.tif 000007
【図６】
2011052507.tif 000008
【図７】
2011052507.tif 000009
【図８】
2011052507.tif 000010
【図９】
2011052507.tif 000011
【図１０】
2011052507.tif 000012
【図１１】
2011052507.tif 000013
【図１２】
2011052507.tif 000014
【図１３】
2011052507.tif 000015
【図１４】
2011052507.tif 000016